(57)【要約】【課題】情報取得の利便性を向上してデータを表示可能なデータ表示装置を提供する。【解決手段】放送データを受信する放送受信部と、ネットデータを受信する通信部と、受信された放送データを複数保存する放送データ保存部と、受信されたネットデータを複数保存するネットデータ保存部と、保存された放送データから抽出された文字データとこの文字データが抽出された放送データとの対応関係を示す放送データテーブルを保存する放送テーブルデータ保存部と、保存されたネットデータから抽出された文字データとこの文字データが抽出されたネットデータとの対応関係を示すネットデータテーブルを保存するネットテーブルデータ保存部と、ユーザがデータ検索条件を入力する際に用いられる入力部と、保存されたテーブルデータを用いて入力部により入力された検索条件に応じたデータを検索する検索部と、検索した検索結果を表示する表示部とを備える。【選択図】  図２
2008027258.tif 000002
【特許請求の範囲】
【請求項１】
データを表示可能なデータ表示装置であって、
第１の送信方式により送信された第１のデータを受信する第１の受信手段と、
第２の送信方式により送信された第２のデータを受信する第２の受信手段と、
前記第１の送信方式により送信された第１のデータを複数保存する第１の保存手段と、
前記第２の送信方式により送信された第２のデータを複数保存する第２の保存手段と、
前記第１の保存手段に保存された第１のデータから抽出された文字データと前記文字データが抽出された第１のデータとの対応関係を示す第１のデータテーブルを保存する第１のテーブルデータ保存手段と、
前記第２の保存手段に保存された第２のデータから抽出された文字データと前記文字データが抽出された第２のデータとの対応関係を示す第２のデータテーブルを保存する第２のテーブルデータ保存手段と、
前記データ表示装置のユーザがデータ検索条件を入力する際に用いられる入力手段と、
前記第１のテーブルデータ保存手段あるいは前記第２のテーブルデータ保存手段に保存されたテーブルデータを用いて前記入力手段により入力された検索条件に応じたデータを検索する検索手段と、
前記検索手段により検索した検索結果を表示する表示手段と、
を備えていることを特徴とするデータ表示装置。
【請求項２】
前記ユーザは前記入力手段を用いて検索の対象とするデータを入力することが可能であり、
前記検索手段は、前記入力手段により検索対象を第１のデータとし検索条件を第２のデータとする指示が入力された場合に、前記第２のデータテーブルに含まれる文字データを読み出し、前記第１のデータテーブルの中から読み出された文字データに対応する第１のデータを検索することを特徴とする請求項１に記載のデータ表示装置。
【請求項３】
前記第２のデータテーブルは前記文字データの評価値を示す評価情報を有し、
前記検索手段は、前記第２のデータテーブルに含まれる文字データが複数ある場合に、前記評価情報に応じて前記複数の文字データの１つを選択し、前記第１のデータテーブルの中から前記選択された文字データに対応する第１のデータを検索することを特徴とする請求項２に記載のデータ表示装置。
【請求項４】
前記評価値は、前記文字データが抽出された頻度あるいは前記文字データが抽出された時間に応じて設定されることを特徴とする請求項３に記載のデータ表示装置。
【請求項５】
データを表示可能なデータ表示装置であって、
放送により配信された放送データを受信する放送受信部と、
インターネットを介して送信されたネットデータを受信する通信部と、
前記放送受信部により受信された放送データを複数保存する放送データ保存部と、
前記通信部により受信されたネットデータを複数保存するネットデータ保存部と、
前記放送データ保存部に保存された放送データから抽出された文字データと前記文字データが抽出された放送データとの対応関係を示す放送データテーブルを保存する放送テーブルデータ保存部と、
前記ネットデータ保存部に保存されたネットデータから抽出された文字データと前記文字データが抽出されたネットデータとの対応関係を示すネットデータテーブルを保存するネットテーブルデータ保存部と、
前記データ表示装置のユーザがデータ検索条件を入力する際に用いられる入力部と、
前記放送テーブルデータ保存部あるいは前記ネットテーブルデータ保存部に保存されたテーブルデータを用いて前記入力部により入力された検索条件に応じたデータを検索する検索部と、
前記検索部により検索された検索結果を表示する表示部と、
を備えていることを特徴とするデータ表示装置。
【発明の詳細な説明】
【技術分野】
【０００１】
本発明は、データを表示可能なデータ表示装置に関する。
【背景技術】
【０００２】
ユーザが所望の個別ニュース記事を配信ニュース記事から容易に発見できるニュース配信装置が特許文献１に記載されている。このニュース配信装置では、複数の個別ニュース記事を取得する手段と、各個別ニュース記事の記事属性を取得する手段と、前記複数の個別ニュース記事のそれぞれ少なくとも一部ずつを含むとともに、それら個別ニュース記事の記事属性に基づく表示スタイルを有する配信ニュース記事を生成する手段と、生成される配信ニュース記事をユーザに送信する手段と、を含んでいる。
【０００３】
【特許文献１】特開２００２−２１５７３２号
【発明の開示】
【発明が解決しようとする課題】
【０００４】
近年、放送とインターネットとの融合が進んでおり、放送局で作成されブロードキャストで決められた放送時間に閲覧することができる放送コンテンツと、VOD(Video On Demand)サービスなどによりユーザが閲覧したいときに閲覧することができるインターネットコンテンツとを、１台の表示装置で視聴できるようになってきている。
【０００５】
しかしながら、一般的にニュース情報などの公共性が高い情報が多い放送コンテンツに比べて、インターネットコンテンツは、掲示板の書込みや日記の機能を持つウェブログ（ブログ）や個人が情報を発信するホームページ、メール等の個人的な情報が多いなど、放送コンテンツとインターネットコンテンツでは性質が異なることがある。また、放送コンテンツとインターネットコンテンツとでは、ニュース情報でも、重要視あるいは話題になるニュースが異なる場合がある。
【０００６】
そのため、このような特徴が違う性質をもつ放送とネットの違いを融合させ、ユーザが利用しやすいように情報を提供することが求められる。しかし、特許文献１では、放送とインターネットの融合に関して記載されていない。
【０００７】
そこで、本発明は、情報取得の利便性を向上してデータを表示可能なデータ表示装置を提供することを目的とする。
【課題を解決するための手段】
【０００８】
本発明にかかるデータ表示装置は、第１の送信方式により送信された第１のデータを受信する第１の受信手段と、第２の送信方式により送信された第２のデータを受信する第２の受信手段と、受信された第１のデータを複数保存する第１の保存手段と、受信された第２のデータを複数保存する第２の保存手段と、保存された第１のデータから抽出された文字データと前記文字データが抽出された第１のデータとの対応関係を示す第１のデータテーブルを保存する第１のテーブルデータ保存手段と、保存された第２のデータから抽出された文字データと前記文字データが抽出された第２のデータとの対応関係を示す第２のデータテーブルを保存する第２のテーブルデータ保存手段と、ユーザがデータ検索条件を入力する際に用いられる入力手段と、保存されたテーブルデータを用いて前記入力手段により入力された検索条件に応じたデータを検索する検索手段と、検索された検索結果を表示する表示手段と、を備える。
【発明の効果】
【０００９】
本発明によれば、情報取得の利便性を向上してデータを表示可能なデータ表示装置を提供することを目的とする。
【発明を実施するための最良の形態】
【００１０】
図１は、放送や通信により取得したデータを表示するコンテンツ表示装置の構成例を示す図である。コンテンツ表示装置１００は、例えば、放送受信機能を搭載した携帯電話やパーソナルコンピュータ、通信機能を備えたテレビやハードディスクレコーダーである。コンテンツ表示装置１００は、放送やネットから配信されるニュースやドラマ、スポーツなどの映像情報や番組情報（Ｅｌｅｃｔｒｏｎｉｃ  Ｐｒｏｇｒａｍ  Ｇｕｉｄｅ）などのデータを受信し、受信したデータを表示する。
【００１１】
通信部１０１は、インターネット１０２を介して、ニュース情報やメール情報、ＲＳＳ（ＲＤＦ Ｓｉｔｅ Ｓｕｍｍａｒｙ）により体系付けられた情報、掲示板の書込みや日記の機能を持つウェブログ（ブログ）情報、EPG（番組情報）などの複数種類のデータを受信する。以下、この受信したデータをネットコンテンツという。このネットコンテンツは、コンテンツ保存部１０３のネットコンテンツ保存部１０４に保存される。なお、通信部１０１は、無線通信部であっても、有線通信部であっても良い。
【００１２】
放送受信部１０５は、放送局１０６からデジタル放送やアナログ放送によりニュースやスポーツ、ドラマなどの映像情報や、EPGなどのデータを受信する。以下、このデータを放送コンテンツという。放送コンテンツは、コンテンツ保存部１０３の放送コンテンツ保存部１０７に保存する。なお、放送局１０６からコンテンツを直接受信することに限定するものではなく、例えば人工衛星などを介してコンテンツを受信しても良い。また、放送受信部１０５は無線によりコンテンツを受信するものに限らず、ケーブルテレビ局から光ファイバなどのケーブル接続によりコンテンツを受信するようにしても良い。
【００１３】
チャプタ抽出部１０８は、コンテンツ保存部１０３に記憶されたネットコンテンツや放送コンテンツのシーンの切り替わりであるチャプタを抽出する。例えば、コンテンツに含まれる映像の輝度が所定以上変化した場合や、音声の大きさが大きく変化した場合、無音声になった場合に、チャプタであると判断する。また、例えば、ニュース情報の場合には、各ニュース毎にニュースキャスターが映し出される場面に切り替わったり、テロップや効果音が挿入されたりすることが多いので、このような所定映像やテロップ等を抽出した場合にチャプタであるとして判断しても良い。また、チャプタ抽出部１０８は、映像や音声変化の閾値等を複数段階設けることにより、「大チャプタ」や「小チャプタ」のように複数段階のチャプタを抽出するようにしてもよい。
【００１４】
チャプタ抽出部１０８で抽出されたチャプタの位置を示すチャプタ情報は、コンテンツ保存部１０３に入力され、ネットコンテンツや放送コンテンツと対応させて保存される。
【００１５】
なお、本例では、チャプタ抽出部をコンテンツ保存部１０３に設けたが、コンテンツ保存部１０３の内部に設けても良い。また、本例では、チャプタ抽出部１０８はコンテンツ保存部から入力されたコンテンツからチャプタを抽出したが、これに限らず、通信部１０１あるいは放送受信部１０５からチャプタ抽出部１０８にコンテンツが入力されるようにしても良い。
【００１６】
表示制御部１１０は、ユーザインタフェース部１１２から入力されたユーザ指示に従い、コンテンツ保存部１０４に保存されたコンテンツを読み出し、表示部１１１に出力する。表示制御部１１０の詳細については後述する。
【００１７】
なお、図１において、ネットコンテンツ保存部１０４および放送コンテンツ保存部に保存されているコンテンツとして示しているニュース情報等は一例であって、これに限定するものではない。なお、コンテンツは、例えば、ＭＰＥＧ形式（ＭＰＥＧ−２、ＭＰＥＧ−４、ＭＰＥＧ−７）、Ｈ．２６４やＴＳ（Ｔｒａｎｓｐｏｒｔ Ｓｔｒｅａｍ）、ＰＳ（Ｐｒｏｇｒａｍ  Ｓｔｒｅａｍ）、ＥＳ（Ｅｌｅｍｅｎｔａｒｙ  Ｓｔｒｅａｍ）などのデータである。
【００１８】
図２は、コンテンツ表示装置１００の表示制御部１１０の内部構成を示す図である。
【００１９】
文字抽出処理部２００は、放送コンテンツ保存部１０７に保存された放送コンテンツに含まれる文字情報を抽出する。
【００２０】
図３にニュース情報などの放送コンテンツを表示部１１１に表示した例を示す。例えば、ニュース情報の場合、図３（１）のように、ニュース内容をテロップ３０１で表示している場合がある。文字抽出処理部２００は、これらの映像にはめ込まれたテロップ情報を映像認識により抽出する。また、映像認識に限らず、例えばニュースキャスターが話す音声などの音声情報から、音声認識を用いて文字情報を抽出しても良い。なお、コンテンツが文字情報である場合や、EPGなどからの文字情報を利用する場合や、文字情報が映像情報や音声情報に付加されている場合には、映像認識や音声認識を行わずに、この文字情報を抽出すれば良いため、文字抽出処理部２００の処理負荷を軽減することができる。文字情報は形態素解析を行い、助詞や冠詞などを省き、特徴的なキーワードを抽出する。
【００２１】
放送キーワード保存部２０１は、文字抽出処理部２００で抽出した文字情報をキーワードとし、このキーワードと放送コンテンツ保存部１０７に保存されている放送コンテンツとの対応関係を示すテーブル情報とを保存する。これにより、キーワードから、放送コンテンツを検索できるようになる。
【００２２】
図４は、放送キーワード保存部２０１に記憶される放送テーブル情報の一例を示す図である。この放送テーブル情報には、コンテンツを識別するコンテンツIDと、大チャプタおよび小チャプタの位置を示すチャプタ情報、チャプタ位置に対応するコンテンツを通信部１０１あるいは放送受信部１０５により受信した日時を示す日時情報、文字抽出処理部２００で抽出したキーワード、そのコンテンツを再生した割合（％）を示す視聴履歴情報などが含まれる。
【００２３】
放送テーブル情報は、ユーザインタフェース部１１２からのユーザ入力により、表示演算処理部２０２を介して表示部１１１に表示される。この際に、視聴履歴情報に応じて、表示する情報の順番を変えるようにしても良い。例えば、まだユーザが視聴していないコンテンツほど上の方に表示する。表示されたテーブル情報の中から、ユーザはユーザインタフェース部１１２を用いて再生したいコンテンツを選択する。
【００２４】
なお、本例では、大チャプタと小チャプタに分けた場合について示しているが、これに限定するものではなく、1種類のチャプタ情報であっても良いし、３種類以上のチャプタ情報であっても良い。また、チャプタごとキーワード情報等を保存せず、コンテンツごとに情報を保存するようにしても良い。但し、チャプタごとにキーワード情報を保存することにより、ユーザが１つのコンテンツの中でも興味のある場面を見つけやすくすることができる。
【００２５】
文字抽出処理部２０４はネットコンテンツ保存部１０４に保存されたネットコンテンツに含まれる文字情報を抽出する。文字情報は形態素解析を行い、助詞や冠詞などを省き、特徴的なキーワードを抽出する。ネットキーワード保存部２０３は、文字抽出処理部２０４により抽出された文字情報をキーワードとして保存する。また、ネットキーワード保存部２０３は、このキーワードと、ネットコンテンツ保存部１０４に保存されているネットコンテンツとの対応関係を示すテーブル情報を保存する。このテーブル情報には、キーワードに対応するネットコンテンツがメール情報なのか、ブログ情報なのか、ニュース情報等のネットコンテンツの種類を示すジャンル情報や、文字抽出処理部２０４によりキーワードを取得した取得日時を示す日時情報などが含まれている。
【００２６】
図５は、ネットキーワード保存部２０３に記憶されるネットテーブル情報の一例を示す図である。ネットテーブル情報には、コンテンツを識別するコンテンツIDと、ニュース、EPGなどのコンテンツの種類を示すジャンル情報と、文字抽出処理部２０４により抽出されたキーワードと、キーワードを取得した日時を示す情報と、そのキーワードの話題性を示す評価値情報、そのコンテンツを再生した割合（％）を示す視聴履歴情報などが含まれる。
【００２７】
ネットテーブル情報は、放送テーブル情報と同様、ユーザインタフェース部１１２からのユーザ入力により、表示演算処理部２０２を介して表示部１１１に表示される。この際に、例えば評価値や視聴履歴情報に応じて、表示する情報の順番を変えるようにしても良い。なお、評価値は、文字抽出処理部２０４により抽出される頻度や抽出された日時などから設定される。例えば、抽出頻度が高く、かつ、抽出日時が新しいものは、評価値を高くする。そして、抽出頻度が低いものや、抽出日時が古いものは、評価値を低くする。なお、ネットコンテンツには、ブログ情報や個人が情報を発信するホームページ情報など、様々な情報が含まれるため、様々なキーワードが抽出され、キーワードの抽出頻度や抽出日時だけでは、キーワードの評価値に特徴が出ない場合がある。この場合、評価値を算出するのに、オントロジーや連想シソーラスやコーパスなどを利用した自然言語処理により意味的に近いキーワードの評価値を利用しても良い。また、メール情報に含まれるキーワードはユーザが興味を持っていたり、ユーザに関連したりする可能性が高いため、例えば評価値を１．５倍にするなど、高く設定するようにしても良い。また、インターネット１０２を介して通信部１０１により、検索エンジンによる検索数やブログや掲示板などの書き込み数などの頻出キーワードを示すランキング情報を取得し、このランキング情報に応じて評価値を設定するようにしても良い。
【００２８】
なお、文字抽出処理部２００および２０４による文字情報の抽出は、予め定められた時間間隔で行っても良いし、ユーザが設定した時間間隔で行っても良いし、通信部１０１あるいは放送受信部１０５で新たなコンテンツを受信する毎に行うようにしても良い。
【００２９】
以下、これらテーブル情報を用いて、コンテンツ保存部１０３からユーザがコンテンツを検索する方法を説明する。図８に、表示演算処理部２０２による検索処理動作を示すフローチャートの一例を示す。
【００３０】
まず、ユーザインタフェース部１１２を介してユーザから、コンテンツ検索モードの起動指示が入力されると（Ｓ８０１）、表示演算処理部２０２は表示部１１１に、検索する対象とするコンテンツの選択を求める選択画面を表示する（Ｓ８０２）。なお、コンテンツ検索モードの起動指示は、ユーザインタフェース部１１２から入力される場合に限定されず、リモコン装置などの外部装置から入力するようにしても良い。
【００３１】
図６に、検索対象選択画面の一例を示す。ユーザは、放送コンテンツから情報を取得したい場合には画面上の「放送」ボタン６０１を選択し、ネットコンテンツから情報を取得したい場合には「ネット」ボタン６０２を選択する。放送コンテンツとネットコンテンツの両方から情報を取得したい場合には、「放送」ボタン６０１と「ネット」ボタン６０２の両方を選択する。
【００３２】
ユーザが検索対象を選択した後に画面上の三角アイコン６０３をインターフェース部１１２を用いて選択すると、検索対象が設定される（Ｓ８０３）。
【００３３】
検索対象が設定されると、表示演算処理部２０２は検索条件の入力を求める画面を表示部１１１に表示する（Ｓ８０４）。図７に検索条件入力画面の一例を示す。
【００３４】
本例では、検索条件として、新しいコンテンツから順に抽出する「時系列」、ユーザが入力した日時に該当するコンテンツを検索する「日時」、ネットテーブル情報の中からユーザが選択したニュースやメール等のジャンルで評価値のもっとも高いキーワードに対応したコンテンツを検索する「今話題の情報」、および、ユーザが入力したキーワードに対応したコンテンツを検索する「キーワード」を設けている。
【００３５】
例えば、検索条件として「今話題の情報」の「メール」を選択することにより、ユーザはわざわざメールを見直してどのキーワードが多いか検討してキーワードを入力する必要なく、ユーザが友人等とやり取りをしているメールで話題になっているコンテンツを検索することができる。なお、本例では、「今話題の情報」はネットテーブル情報から抽出したキーワードを用いているが、放送テーブル情報がネットテーブル情報と同様にキーワードの評価値を有している場合には、放送テーブル情報のキーワードを用いて検索を行うようにしても良い。
【００３６】
なお、図６および図７に示す画面は、Ｗｅｂ２．０、ＢＭＬ（Ｂｒｏａｄｃａｓｔ Ｍａｒｋｕｐ  Ｌａｎｇｕａｇｅ）、ＨＴＭＬ、Ｊａｖａ(登録商標)Ｓｃｒｉｐｔ、ブロードキャストＸＬＥＴ、ＣＳＳ（Ｃｏｎｔｅｎｔ  Ｓｃｒａｍｂｌｉｎｇ  Ｓｙｓｔｅｍ）、ＸＭＬ、などブラウジング機能を備えた装置で閲覧可能な記述言語などで作成される。これにより、ユーザが入力できる項目の追加や削除なども容易にでき、様々な機器への組込みを可能にすることができる。また、ブラウジング機能を備えた方法などで作成することにより、リモコン操作と同様にコンテンツ表示装置１００に接続されたＩＰネットワークやプラグアンドプレイやＤＬＮＡや電源網を利用したネットワークなどで接続されたホームネットワーク上の機器などからも遠隔操作することができる。
【００３７】
ユーザが検索条件を入力した後に、画面上の三角アイコン７０１をインターフェース部１１２を用いて選択すると、検索条件が設定され（Ｓ８０５）、表示演算処理部２０２は検索対象のコンテンツの中から検索条件にあったコンテンツを検索し（Ｓ８０６）、検索結果を表示部１１１に表示する（Ｓ８０７）。コンテンツ検索Ｓ８０６では、放送キーワード保存部２０１に記憶される放送テーブル情報、ネットキーワード保存部２０３に記憶されるネットテーブル情報を利用する。検索条件で設定した日時やキーワード、ジャンルなどを２０１、２０３のテーブルから合致する文字列を検索し、その文字列や日時情報に関連付けられたコンテンツの視聴履歴やキーワードの評価値を利用して、コンテンツの評価値が高いものを抽出する機能を有する。
このように、以上説明した検索処理動作によれば、例えばネットコンテンツで話題になっている情報を放送コンテンツでも確認することができるなど、ネットコンテンツと放送コンテンツの融合を図ることができ、ユーザによる情報取得の利便性を向上することができる。
【００３８】
次に、検索対象として放送コンテンツが選択され、検索条件として「今話題の情報」の「メール」が選択されている場合を例にとって説明を行う。表示演算処理部２０２は、図５に示すネットテーブル情報から、ジャンルがメールとなっているコンテンツのキーワードを読み出す。複数のキーワードが該当する場合、この中から評価値の一番大きなものを検索キーワードとして決定する。次に、表示演算処理部２０２は、図６に示す放送テーブル情報の中から、検索キーワードに該当するキーワードが含まれるコンテンツＩＤを抽出する。図９に検索結果の表示画面例を示す。検索されたコンテンツのサムネイル９０１と、放送テーブル情報に含まれる日時情報や視聴履歴などのコンテンツ関連情報９０２を表示する。図９の画面では３つのコンテンツのサムネイル等しか示されていないが、画面上の三角アイコン９０３が選択されると、他の検索結果を表示する。なお、サムネイル９０１がユーザインタフェース１１２を用いて選択されると、表示演算処理部２０２は対応するコンテンツ保存部１０３から読み出し、表示部１１１に表示する。これにより、ユーザはわざわざメールを見直してどのキーワードが多いか検討してキーワードを入力する必要なく、放送コンテンツの中からメールで話題になっている情報を容易に知ることができる。また、検索結果をサムネイルを用いて表示することにより、ユーザは情報の概要を容易に確認することができる。
【００３９】
なお、上述の例において、図５に示すネットテーブル情報にジャンルがメールとなっているコンテンツのキーワードが複数ある場合に、１つのキーワードに限らず、評価値が高いものから複数選択しても良し、評価値が例えば７０％などの所定の閾値以上のものを全て選択するようにしても良い。この場合、図９（２）に示すように、サムネイルの大きさを変えて表示するなど、評価値に応じて検索結果の表示方法を変えることが望ましい。このように表示することにより、ユーザは重視すべき情報がどれであるかを容易に知ることができる。また、キーワードが複数ある場合に、全てのキーワードを用いて放送テーブル情報の中から該当するコンテンツを検索し、評価値の高い順序に表示するようにしても良い。この際に、図９（２）と同様に、評価値に応じて検索結果の表示を変えることが望ましい。
【００４０】
以上、検索対象として放送コンテンツが選択され、検索条件として「今話題の情報」の「メール」が選択されている場合を例にとって説明したが、検索対象としてネットコンテンツが選択された場合や、検索条件として「メール」に代えて、あるいは「メール」に追加して「ニュース」や「ブログ」等が選択された場合も同様に検索を行う。但し、検索対象としてネットコンテンツのみが選択された場合は、放送テーブル情報の検索は不要であることはいうまでもない。また、検索対象として放送コンテンツとネットコンテンツが選択された場合、検索結果を別々に表示しても良いし、まとめて表示しても良い。
【００４１】
また、検索条件としてユーザからキーワードや日時が入力された場合には、入力されたキーワードや日時に対応するコンテンツの情報を、放送テーブル情報あるいはネットテーブル情報から読み出す。例えば、検索対象として放送コンテンツとネットコンテンツの両方が選択され、検索条件として「日時」が入力された場合、放送テーブル情報の日時情報およびネットテーブル情報の日時情報が該当するコンテンツが検索され、図９（３）に示すように検索結果を表示する。なお、図９（３）の例では、放送コンテンツとネットコンテンツの検索結果を別々に表示しているが、これに限定するものではなく、放送コンテンツとネットコンテンツを混ぜて表示するようにしても良い。
【００４２】
また、検索条件として「時系列」が選択された場合には、放送テーブル情報の日時情報およびネットテーブル情報の日時情報が新しいものから順に検索結果を表示する。
【００４３】
なお、以上の例では、検索条件が１つずつ選択されている例を示したが、これに限定するものではなく、複数の検索条件が選択されるようにしても良い。例えば、「時系列」と「キーワード」を選択した場合、放送テーブル情報あるいはネットテーブル情報の中からキーワードに対応するコンテンツ情報を、放送テーブル情報の日時情報およびネットテーブル情報の日時情報が新しいものから順に検索結果を表示する。
【００４４】
なお、上述した各実施の形態は、本発明の説明のための例示であり、本発明の範囲を実施形態にのみ限定する趣旨ではない。当業者は、本発明の要旨を逸脱することなしに、他の様々な態様で本発明を実施できる。例えば、以上の説明では、放送コンテンツとネットコンテンツを取得する場合について説明したが、これに限定するものではなく、他の送信方式により送信されたコンテンツを取得する場合にも適用しても良い。
【図面の簡単な説明】
【００４５】
【図１】コンテンツ表示装置の構成例を示す図である。
【図２】コンテンツ表示装置の表示制御部の内部構成を示す図である。
【図３】放送コンテンツを表示部に表示した例を示す図である。
【図４】放送キーワード保存部に記憶される放送テーブル情報の一例を示す図である。
【図５】ネットキーワード保存部に記憶されるネットテーブル情報の一例を示す図である。
【図６】検索対象選択画面の一例を示す図である。
【図７】検索条件入力画面の一例を示す図である。
【図８】表示演算処理部による検索処理動作を示すフローチャートの一例を示す図である。
【図９】検索結果の表示画面例を示す図である。
【符号の説明】
【００４６】
１００…コンテンツ表示装置、１０１…通信部、１０２…インターネット、１０３…コンテンツ保存部、１０４…ネットコンテンツ保存部、１０５…放送受信部、１０６…放送局、１０７…放送コンテンツ保存部、１０８…チャプタ抽出部、１１０…表示制御部、１１１…表示部、１１２…ユーザインタフェース部
【図１】
2008027258.tif 000003
【図２】
2008027258.tif 000004
【図３】
2008027258.tif 000005
【図４】
2008027258.tif 000006
【図５】
2008027258.tif 000007
【図６】
2008027258.tif 000008
【図７】
2008027258.tif 000009
【図８】
2008027258.tif 000010
【図９】
2008027258.tif 000011